【手続補正書】
【提出日】平成15年9月3日(2003.9.3)
【手続補正１】
【補正対象書類名】明細書
【補正対象項目名】発明の名称
【補正方法】変更
【補正の内容】
【発明の名称】運行案内装置及び方法


【手続補正２】
【補正対象書類名】明細書
【補正対象項目名】特許請求の範囲
【補正方法】変更
【補正の内容】
【特許請求の範囲】
【請求項１】
列車，電車，バス，航空機などの複数種の交通機関の設定路線及び各設定路線上の駅，停留所，空港などの交通機関の滞留拠点の分布画像を含む路線図、複数の前記滞留拠点の間または前記滞留拠点と他の設定路線との間の連関情報、運行所要時間並びに運賃情報をそれぞれデータベース化して蓄積したデータベース管理部と、
操作者による情報の入力及び当該操作者宛の情報の出力を、所定の表示装置における表示画面の表示により支援する主制御部とを備えており、
前記主制御部は、
前記データベース管理部を通じて取得したいずれかの前記路線図を前記表示装置に表示させるとともに、この路線図上で操作者が指定した、出発地に対応する１つの滞留拠点及び目的地に対応する１つ又は複数の滞留拠点の識別情報を、前記表示画面における各々の滞留拠点が表示されている領域の相対位置情報を検知することにより特定する手段と、
特定したこれらの滞留拠点の識別情報に基づいて当該滞留拠点に関する前記連関情報、運行所要時間並びに運賃情報を前記データベース管理部より取得し、取得したこれらの情報を所定のメモリ領域に展開して出発地と目的地とを結ぶ１つ又は複数の運行経路候補を仮想的に構築することにより決定する手段と、
前記表示装置に表示されている路線図のうち前記決定された運行経路候補の各々の部分の表示態様を当該運行経路候補において使用する交通機関の運行方向に沿って変化させる表示制御手段と、
を有することを特徴とする運行案内装置。
【請求項２】
前記連関情報は、前記滞留拠点が列車の駅である場合において、次の駅に該当する駅数はどの位あるか、次の駅は急行停車駅／各駅停車駅／他の路線への乗り換えが可能な駅／路線終点駅のいずれなのか、乗り換え可能であればどの路線か、乗り換えの利便性はどの程度かなど、次の駅に関するインデックス情報を数値によって定量化したものであり、
前記主制御部は、この定量化された連関情報を前記メモリ領域に展開することにより前記運行経路候補を仮想的に構築することを特徴とする、
請求項１記載の運行案内装置。
【請求項３】
前記データベース管理部は、各路線図に表示される個々の滞留拠点の読み表記及び当該滞留拠点固有の案内情報をデータベース化して蓄積しており、
前記主制御部は、前記滞留拠点を特定したときに当該特定した滞留拠点についての読み表記及び案内情報を前記データベース管理部より取得して前記表示装置の所定位置に補助表示させる手段を有することを特徴とする
請求項１記載の運行案内装置。
【請求項４】
前記データベース管理部は、前記交通機関の運行日，運行方向，個々の滞留拠点における交通機関の発着時刻を含む時刻表情報をデータベース化して蓄積しており、
前記主制御部は、前記滞留拠点の識別情報を特定し且つ操作者によって運行日が指定されたときに当該滞留拠点が関わる交通機関の時刻表情報を当該滞留拠点の識別情報をもとに前記データベース管理部より取得して前記表示装置の所定位置に補助表示する手段を有することを特徴とする
請求項１記載の運行案内装置。
【請求項５】
前記主制御部は、操作者から出発地に対応する滞留拠点の出発時刻または目的地に対応する滞留拠点の到着時刻が入力された場合において、これらの滞留拠点間を結ぶ運行経路候補上に存する各滞留拠点の発着時刻を算出し、算出した発着時刻を当該運行経路候補の該当箇所に付記表示する手段を有することを特徴とする
請求項１記載の運行案内装置。
【請求項６】
前記データベース管理部に蓄積される各運行所要時間は、運行に要する予定時間と乗り換え時間を含む非運行時間との合算平均値であり、
前記主制御部は、個々の滞留拠点から派生する前記連関情報が複数存在するときは前記合算平均値の大小に応じて選択された特定の連関情報に基づいて前記運行経路候補を決定するように構成されていることを特徴とする
請求項１記載の運行案内装置。
【請求項７】
記憶装置を有するコンピュータが、所定のコンピュータプログラムを読み込んで実行することにより、列車，電車，バス，航空機などの複数種の交通機関の設定路線及び各設定路線上の駅，停留所，空港などの交通機関の滞留拠点の分布画像を含む路線図、複数の前記滞留拠点の間または前記滞留拠点と他の設定路線との間の連関情報、運行所要時間並びに運賃情報をそれぞれ前記記憶装置上にデータベース化して蓄積したデータベース管理部と、操作者による情報の入力及び当該操作者宛の情報の出力を、所定の表示装置における表示画面の表示により支援する主制御部とを構築するとともに、
前記主制御部が、
前記データベース管理部を通じて取得したいずれかの前記路線図を前記表示装置に表示させるとともに、この路線図上で操作者が指定した、出発地に対応する１つの滞留拠点及び目的地に対応する１つ又は複数の滞留拠点の識別情報を、前記表示画面における各々の滞留拠点が表示されている領域の相対位置情報を検知することにより特定する処理と、
特定したこれらの滞留拠点の識別情報に基づいて当該滞留拠点に関する前記連関情報、運行所要時間並びに運賃情報を前記データベース管理部より取得し、取得したこれらの情報を所定のメモリ領域に展開して出発地と目的地とを結ぶ１つ又は複数の運行経路候補を仮想的に構築することにより決定する処理と、
前記表示装置に表示されている路線図のうち前記決定された運行経路候補の各々の部分の表示態様を当該運行経路候補において使用する交通機関の運行方向に沿って変化させる処理と、を実行することを特徴とする、
コンピュータによる運行案内方法。
【手続補正３】
【補正対象書類名】明細書
【補正対象項目名】０００７
【補正方法】変更
【補正の内容】
【０００７】
【課題を解決するための手段】
上記課題を解決する本発明の運行案内装置は、列車，電車，バス，航空機などの複数種の交通機関の設定路線及び各設定路線上の駅，停留所，空港などの交通機関の滞留拠点の分布画像を含む路線図、複数の前記滞留拠点の間または前記滞留拠点と他の設定路線との間の連関情報、運行所要時間並びに運賃情報をそれぞれデータベース化して蓄積したデータベース管理部と、操作者による情報の入力及び当該操作者宛の情報の出力を、所定の表示装置における表示画面の表示により支援する主制御部とを備えている。
前記主制御部は、前記データベース管理部を通じて取得したいずれかの前記路線図を前記表示装置に表示させるとともに、この路線図上で操作者が指定した、出発地に対応する１つの滞留拠点及び目的地に対応する１つ又は複数の滞留拠点の識別情報を、前記表示画面における各々の滞留拠点が表示されている領域の相対位置情報を検知することにより特定する手段と、特定したこれらの滞留拠点の識別情報に基づいて当該滞留拠点に関する前記連関情報、運行所要時間並びに運賃情報を前記データベース管理部より取得し、取得したこれらの情報を所定のメモリ領域に展開して出発地と目的地とを結ぶ１つ又は複数の運行経路候補を仮想的に構築することにより決定する手段と、前記表示装置に表示されている路線図のうち前記決定された運行経路候補の各々の部分の表示態様を当該運行経路候補において使用する交通機関の運行方向に沿って変化させる表示制御手段と、を有するものである。
前記連関情報は、例えば、滞留拠点が列車の駅である場合において、次の駅に該当する駅数はどの位あるか、次の駅は急行停車駅／各駅停車駅／他の路線への乗り換えが可能な駅／路線終点駅のいずれなのか、乗り換え可能であればどの路線か、乗り換えの利便性はどの程度かなど、次の駅に関するインデックス情報を数値によって定量化したものである。この場合、前記主制御部は、この定量化された連関情報を前記メモリ領域に展開することにより前記運行経路候補を仮想的に構築する。


【手続補正４】
【補正対象書類名】明細書
【補正対象項目名】０００８
【補正方法】変更
【補正の内容】
【０００８】
ある実施の態様では、運行経路候補の情報を可視化する際に、種々の補助表示を行うようにする。例えば、前記データベース管理部に、各路線図に表示される個々の滞留拠点の読み表記及び当該滞留拠点固有の案内情報をデータベース化して蓄積しておき、前記主制御部には、前記滞留拠点を特定したときに当該特定した滞留拠点についての読み表記及び案内情報を前記データベース管理部より取得して前記表示装置の所定位置に補助表示させる手段を設ける。
あるいは、前記データベース管理部に、前記交通機関の運行日，運行方向，個々の滞留拠点における交通機関の発着時刻を含む時刻表情報をデータベース化して蓄積しておき、前記主制御部に、前記滞留拠点の識別情報を特定し且つ操作者によって運行日が指定されたときに当該滞留拠点が関わる交通機関の時刻表情報を当該滞留拠点の識別情報をもとに前記データベース管理部より取得して前記表示装置の所定位置に補助表示する手段を設ける。


【手続補正５】
【補正対象書類名】明細書
【補正対象項目名】０００９
【補正方法】変更
【補正の内容】
【０００９】
また、運行経路候補の情報と共に付記表示を行うようにしてもよい。すなわち、前記主制御部に、操作者から出発地に対応する滞留拠点の出発時刻または目的地に対応する滞留拠点の到着時刻が入力された場合において、これらの滞留拠点間を結ぶ運行経路候補上に存する各滞留拠点の発着時刻を算出し、算出した発着時刻を当該運行経路候補の該当箇所に付記表示する手段を設ける。


【手続補正６】
【補正対象書類名】明細書
【補正対象項目名】００１０
【補正方法】変更
【補正の内容】
【００１０】
より実際的な運行案内を実現する場合は、前記データベース管理部に蓄積される各運行所要時間は、運行に要する予定時間と乗り換え時間を含む非運行時間との合算平均値とする。また、前記主制御部を、個々の滞留拠点から派生する前記連関情報が複数存在するときは前記合算平均値の大小に応じて選択された特定の連関情報に基づいて前記運行経路候補を決定するように構成する。


【手続補正７】
【補正対象書類名】明細書
【補正対象項目名】００１１
【補正方法】変更
【補正の内容】
【００１１】
本発明は、また、上記の運行案内をコンピュータを用いて行う方法を提供する。本発明の方法は、記憶装置を有するコンピュータが、所定のコンピュータプログラムを読み込んで実行することにより、列車，電車，バス，航空機などの複数種の交通機関の設定路線及び各設定路線上の駅，停留所，空港などの交通機関の滞留拠点の分布画像を含む路線図、複数の前記滞留拠点の間または前記滞留拠点と他の設定路線との間の連関情報、運行所要時間並びに運賃情報をそれぞれ前記記憶装置上にデータベース化して蓄積したデータベース管理部と、操作者による情報の入力及び当該操作者宛の情報の出力を、所定の表示装置における表示画面の表示により支援する主制御部とを構築するとともに、前記主制御部が、前記データベース管理部を通じて取得したいずれかの前記路線図を前記表示装置に表示させるとともに、この路線図上で操作者が指定した、出発地に対応する１つの滞留拠点及び目的地に対応する１つ又は複数の滞留拠点の識別情報を、前記表示画面における各々の滞留拠点が表示されている領域の相対位置情報を検知することにより特定する処理と、特定したこれらの滞留拠点の識別情報に基づいて当該滞留拠点に関する前記連関情報、運行所要時間並びに運賃情報を前記データベース管理部より取得し、取得したこれらの情報を所定のメモリ領域に展開して出発地と目的地とを結ぶ１つ又は複数の運行経路候補を仮想的に構築することにより決定する処理と、前記表示装置に表示されている路線図のうち前記決定された運行経路候補の各々の部分の表示態様を当該運行経路候補において使用する交通機関の運行方向に沿って変化させる処理と、を実行することを特徴とする方法である。